【手続補正書】
【提出日】平成16年12月9日(2004.12.9)
【手続補正１】
【補正対象書類名】明細書
【補正対象項目名】特許請求の範囲
【補正方法】変更
【補正の内容】
【特許請求の範囲】
【請求項１】
インクジェット印刷システム（10）用の第１のインクカートリッジ（12）の代わりに使用される、適応性のあるインク供給容器であって、
該印刷システム（10）が、滑動するシールカラー（108）によって中空のニードル（106）を取り囲んだ流入口（28）と、前記第１のインクカートリッジ（12）内のインクに関して、前記第１のインクカートリッジ（12）に設けられている第１のメモリ装置（26）と情報を交換する制御装置（18）と、該制御装置（18）に電気的に接続されているとともに上向きに突出したポスト（70）を有する電気コネクタとを有し、
該ポスト（70）が、前記第１のメモリ装置（26）に関連する接点（24）に接続される前記ポスト（70）の第１の側から横方向に突出する複数の電気接点（30）を有し、
前記適応性のあるインク供給容器が、
交換インクを含むインク槽（22、202、223、243、263、275）と、
該インク槽（22、202、223、243、263、275）と液通し、前記滑動するカラー（108）を押し下げて前記流入口（28）の前記中空のニードル（106）を受容することによって前記交換インクを前記印刷システム（10）に供給するように適合されている末端部材を有する流出口（20、133、153、203、225、245、255、265、277）と、
前記ポスト（70）の第１の側の前記電気接点（30）と係合する複数の電気接点（24、198）を有するアダプタコネクタ（195、211、233、247、257、269）と、
該アダプタコネクタ（195、211、233、247、257、269）に配置されて、該アダプタコネクタ（195、211、233、247、257、269）の前記電気接点（24、198）を前記ポスト（70）の前記電気接点（30）と係合した状態に保持する支持面（79）と、さらに
前記アダプタコネクタ（195、211、233、247、257、269）の接点（24、198）に電気的に接続されて、前記制御装置（18）と情報を交換する信号源（26、196）と、
からなることを特徴とする適応性のあるインク供給容器。
【請求項２】
前記信号源（26、196）が、前記インク槽（22、202、223、243、263、275）内の交換インクの体積に関する情報を前記制御装置18に提供する請求項１に記載の適応性のあるインク供給容器。
【請求項３】
前記インク槽（202）が、管路（201、253）によって接続されている前記流出口（203、255）から離れて配置されている請求項１に記載の適応性のあるインク供給容器。
【請求項４】
第１のインクカートリッジ（12）の代わりにプリンタ（10）と共に使用される、適応性のあるインク供給容器であって、
前記第１のインクカートリッジ（12）が、ポンプ（115）および前記第１のインクカートリッジ（12）内のインクに関するデータを含む第１のメモリ装置（26）を有し、
前記プリンタ（10）が、流入口（28）と、第１の位置と第２の位置との間で移動可能であって、前記第２の位置の方に付勢されて前記ポンプ（115）に圧力を加えるアクチュエータ（122）と、前記第１のメモリ装置（26）と情報を交換する制御装置（18）と、さらに該制御装置18に電気的に接続されているとともに突出したポスト（70）を有する電気コネクタとを有し、
該ポスト（70）が、前記第１のメモリ装置26に関連する接点（24）に接続され、前記ポストの第１の側から横方向に突出する複数の電気接点（30）を有し、
前記適応性のあるインク供給容器が、
交換インクを含むインク槽（22、202、223、243、263、275）と、
該インク槽（22、202、223、243、263、275）と液通し、前記流入口（28）に結合されて前記交換インクを前記プリンタ（10）に供給するように適合されている流出口（20、133、153、203、225、245、255、265、277）と、
前記ポスト（70）の第１の側の前記電気接点（30）と係合する複数の電気接点（24、198）を有するアダプタコネクタ（195、211、233、247、257、269）と、
交換インクが前記流入口（28）に送出されると、前記アクチュエータ（122）に接触して、前記アクチュエータ（122）が第２の位置にとどまることを防止する保持具（145、204、235、249、259、270）と、さらに
前記アダプタコネクタ（195、211、233、247、257、269）の接点に接続されて、前記制御装置（18）に電子的使用可能情報を提供する信号源（26、196）と
からなることを特徴とする適応性のあるインク供給容器。
【請求項５】
前記印刷システム（10）の前記流入口（28）とかみ合う、下側の流出口（20、225、245、255、265）を有するハウジング（72、221、241、251、261）をさらに含み、
前記保持具（145、235、249、259、270）が、前記ハウジング（72、221、241、251、261）のアクチュエータ係合部（145、235、249、259、270）である請求項４に記載のインク供給容器。
【請求項６】
前記信号源（196）が、可撓性のケーブル（199、209、231）によって前記アダプタコネクタに接続されて前記電子的使用可能情報を提供し、一方で前記印刷システム（10）から離れて配置されている請求項４に記載のインク供給容器。
【請求項７】
前記インク槽（202）が、管路（201、253）によって前記流出口（203、255）に接続され、前記槽（202）を前記印刷システム（10）から離れて配置することができるように構成されている請求項４に記載のインク供給容器。
【請求項８】
印刷システム（10）内の第１のインク容器（12）に取って代わる適応性のあるインク供給容器であって、
該印刷システム（10）が、第１の方向に前記第１のインク容器（12）を受容するように適合されている供給ステーション（14）を含み、
該供給ステーション（14）が、そこに第１の端（14a）および第２の端（14b）を有し、
該供給ステーション（14）が、第１の端（14a）の近傍に配置され、対応するプリントヘッド（16）にインクを供給する流入口（28）を含み、
該供給ステーション（14）が、第２の端（14b）の近傍に配置されているコネクタポスト（70）を含み、
該コネクタポスト（70）が、前記第１の方向と垂直にある程度移動し、
該コネクタポスト（70）が、複数のポスト接点（30）を有し、
前記適応性のあるインク供給容器が、
インクを含むインク槽（22、202、223、243、263、275）と、
該インク槽（22、202、223、243、263、275）と液通して、前記供給ステーション（14）の第１の端（14a）の近傍に配置されている前記流入口（28）に接続されるように適合されている流出口（20、133、153、203、225、245、255、265、277）と、
前記適応性のあるインク供給容器と関連する電気コネクタ（195、211、233、247、257、269）であって、複数のコネクタ接点（24、198）を含み、前記供給ステーション（14）の第２の端（14b）の近傍の前記コネクタポスト（70）を受容するように適合され、一方の複数のコネクタ接点（24、198）と他方の複数のポスト接点（30）との間の整列を行い両者の間に十分な接触力を与えるように適合されている電気コネクタ（195、211、233、247、257、269）と、さらに
前記複数のコネクタ接点（24、198）に電気的に結合されて、前記制御装置（18）と情報を交換する信号源（26、196）と
からなることを特徴とする適応性のあるインク供給容器。
【請求項９】
前記コネクタ接点（24、198）と対向する関係にある支持面（79）をさらに含み、前記電気コネクタ（195、211、233、247、257、269）が前記コネクタポスト（70）と係合すると、前記支持面（79）が前記コネクタポスト（70）に整列する力を与える請求項８に記載の適応性のあるインク供給容器。
【請求項１０】
前記電気コネクタ（195、211、233、247、257、269）が凹み（80）を形成し、前記コネクタ接点（24、198）が前記第１の方向に対して前記凹み（80）の前端に近接して配置され、該凹み（80）が、前記コネクタポスト（70）を受容し、前記コネクタ接点（24、198）が前記ポスト接点（30）に電気的に結合することができるように適合されている請求項８に記載の適応性のあるインク供給容器。